(57)【要約】【課題】  デジタルカメラと通信端末との間の無線ＬＡＮ接続設定を容易にする。【解決手段】  デジタルカメラ（１１０）の接続部（１２６）が生成する無線ＬＡＮに、その接続条件を操作部（１５０）で入力して通信端末（１４０）を接続する。近接無線通信部（１５８）は、無線ＬＡＮの接続条件と通信端末（１４０）の識別情報をデジタルカメラ（１１０）の近接無線通信部（１２８）の不揮発性メモリ（１３０）に書き込む。以後、通信端末（１４０）は、デジタルカメラ（１１０）に近接すると、近接無線通信部（１５８）により近接無線通信部（１２８）の不揮発性メモリ（１３０）の記憶データを読み出し、記憶データに自身の識別情報が含まれている場合に、接続部（１５６）によりデジタルカメラ（１１０）の無線ＬＡＮに無線接続する。【選択図】  図１
2015211353.tif 000002
【特許請求の範囲】
【請求項１】
外部からのみ読み書きできる不揮発性メモリを有する近接無線通信手段と、所定の接続設定の無線ネットワークを生成する無線ネットワーク生成手段とを有する送信装置に無線接続し、前記送信装置からデータを受信する通信端末であって、
識別情報を記憶する手段と、
前記近接無線通信手段の前記不揮発性メモリにデータを読み書きできる読み書き手段と、
前記無線ネットワークに参加できる無線接続手段と、
前記送信装置との前記近接無線通信が可能になる距離への近接に応じて前記読み書き手段が前記不揮発性メモリから読み出したデータに前記識別情報が登録されているか否かを判断する判断手段と、
前記読み書き手段が前記不揮発性メモリから読み出したデータに前記通信端末が登録されていない場合に、前記無線ネットワークの前記接続設定と前記識別情報を前記読み書き手段により前記不揮発性メモリに書き込ませる手段と、
前記読み書き手段が前記不揮発性メモリから読み出したデータに前記通信端末が登録されている場合に、前記無線接続手段に前記無線ネットワークに参加させる手段
とを具備することを特徴とする通信端末。
【請求項２】
更に、公衆通信網に接続する通信手段を具備することを特徴とする請求項１に記載の通信端末。
【請求項３】
近接無線通信により外部からのみ読み書きできる不揮発性メモリを具備する近接無線通信手段と、
所定の接続設定による無線ネットワークを生成する無線ネットワーク生成手段と、
関連付けられた装置への無線接続を指示する操作手段と、
とを有する送信装置から、
識別情報を記憶する手段と、
前記近接無線通信手段の前記不揮発性メモリにデータを読み書きできる読み書き手段と、
前記無線ネットワークに参加できる無線接続手段
とを有する受信装置にデータを伝送するデータ伝送システムであって、
前記受信装置が、
前記送信装置と前記受信装置の前記近接無線通信が可能になる距離への近接に応じて前記読み書き手段が前記不揮発性メモリから読み出したデータに前記識別情報が登録されているか否かを判断する判断手段と、
前記読み書き手段が前記不揮発性メモリから読み出したデータに前記識別情報が登録されていない場合に、前記無線ネットワークの前記接続設定と前記識別情報を前記読み書き手段により前記不揮発性メモリに書き込ませる手段と、
前記読み書き手段が前記不揮発性メモリから読み出したデータに前記識別情報が登録されている場合に、前記無線接続手段に前記無線ネットワークに参加させる手段
とを具備することを特徴とするデータ伝送システム。
【請求項４】
近接無線通信により外部からのみ読み書きできる不揮発性メモリを具備する近接無線通信手段と、
所定の接続設定による無線ネットワークを生成する無線ネットワーク生成手段と、
関連付けられた装置への無線接続を指示する操作手段と、
とを有する送信装置から、
前記近接無線通信手段の前記不揮発性メモリにデータを読み書きできる読み書き手段と、
前記無線ネットワークに参加できる無線接続手段
とを有する受信装置にデータを伝送するデータ伝送システムにおいて、
前記送信装置と前記受信装置の前記近接無線通信が可能になる距離への１回目の近接に応じて、前記読み書き手段が前記不揮発性メモリの記憶データを読み出し、前記無線接続手段が前記無線ネットワークに接続する接続ステップと、
前記送信装置と前記受信装置の前記近接無線通信が可能になる距離への２回目の近接に応じて、前記読み書き手段が、前記受信装置の識別情報と前記無線ネットワークの接続設定情報とを前記不揮発性メモリに書き込む書き込みステップと、
前記送信装置と前記受信装置の前記近接無線通信が可能になる距離への前記書き込みステップより後の近接に応じて、前記受信装置は、前記読み書き手段により前記不揮発性メモリの記憶データを読み出し、読み出した前記データに自身の識別情報が登録されている場合に、前記無線接続手段により前記無線ネットワークに接続するステップ
とを有することを特徴とする接続制御方法。
【発明の詳細な説明】
【技術分野】
【０００１】
本発明は、通信端末並びにデータ伝送システム及びその接続制御方法に関する。
【背景技術】
【０００２】
近年、デジタルカメラに無線通信機能を搭載し、ワイヤレスで画像データを他の機器に送信する技術が知られている。例えば、特許文献１には、予め撮像しておいた画像データを、無線ＬＡＮを用いて他の装置に無線送信するデジタルカメラが記載されている。
【先行技術文献】
【特許文献】
【０００３】
【特許文献１】特開２００９−１７１４９１号公報
【発明の概要】
【発明が解決しようとする課題】
【０００４】
特許文献１に記載の技術では、カメラから他の装置に撮影画像データを無線送信する場合、毎回、ユーザが手動で、メニューの操作等により通信モードに遷移した上で、送信の操作をしなければならず、面倒である。
【０００５】
本発明は、特定装置間での無線接続を容易にした通信端末並びにデータ伝送システム及びその接続制御方法を提示することを目的とする。
【課題を解決するための手段】
【０００６】
本発明に係る通信端末は、外部からのみ読み書きできる不揮発性メモリを有する近接無線通信手段と、所定の接続設定の無線ネットワークを生成する無線ネットワーク生成手段とを有する送信装置に無線接続し、前記送信装置からデータを受信する通信端末であって、識別情報を記憶する手段と、前記近接無線通信手段の前記不揮発性メモリにデータを読み書きできる読み書き手段と、前記無線ネットワークに参加できる無線接続手段と、前記送信装置との前記近接無線通信が可能になる距離への近接に応じて前記読み書き手段が前記不揮発性メモリから読み出したデータに前記識別情報が登録されているか否かを判定する判定手段と、前記読み書き手段が前記不揮発性メモリから読み出したデータに前記通信端末が登録されていない場合に、前記無線ネットワークの前記接続設定と前記識別情報を前記読み書き手段により前記不揮発性メモリに書き込ませる手段と、前記読み書き手段が前記不揮発性メモリから読み出したデータに前記通信端末が登録されている場合に、前記無線接続手段に前記無線ネットワークに参加させる手段とを具備することを特徴とする。
【発明の効果】
【０００７】
本願発明によれば、予め確認された通信端末に対して簡易化した無線接続を適用するので、セキュリティを確保しつつ接続手順を容易にすることができる。
【図面の簡単な説明】
【０００８】
【図１】本発明の一実施例の概略構成ブロック図である。
【図２】本実施例の接続シーケンス例である。
【図３】近接無線通信部の不揮発性メモリに書き込まれるデータ例である。
【図４】本実施例の表示画面例である。
【図５】通信端末の動作フローチャートである。
【図６】デジタルカメラの動作フローチャートである。
【発明を実施するための形態】
【０００９】
以下、図面を参照して、本発明の実施例を詳細に説明する。
【実施例１】
【００１０】
図１は、撮像装置（画像送信側）と携帯電話のような通信端末（画像受信側又は中継装置）で構成される本発明に係るデータ伝送システムの一実施例の概略構成ブロック図を示す。撮像装置の一例としてデジタルカメラを図示してあるが、スマートフォンに内蔵される撮像装置、又は各種の情報処理機器に内蔵される撮像装置であってもよい。
【００１１】
デジタルカメラ１１０の構成と基本機能を説明する。制御部１１２は、入力された信号及び後述のプログラムに従ってデジタルカメラ１１０の各部を制御する。制御部１１２は単一のハードウエアと当該ハードウエア上で動作する１又は複数のソフトウエアからなっても、複数のハードウエア及び当該ハードウエア上で動作するソフトウエアからなってもよい。
【００１２】
撮像部１１４は、光学レンズユニット、当該光学レンズユニットの絞り、ズーム及びフォーカスを制御するレンズ制御系、及び当該光学レンズユニットによる光学像を電気画像信号に変換する撮像素子からなる。撮像素子には、ＣＭＯＳ（Complementary Metal Oxide Semiconductor）イメージセンサ及びＣＣＤ（Charge Coupled Device Image Sensor）イメージセンサ等があり、何れでもよい。
【００１３】
撮像部１１４は、制御部１１２の制御下で、光学レンズレンズで結像された被写体光学像を撮像素子により電気信号に変換し、ノイズ低減処理などを行った画像データを出力する。本実施例では、画像データは、ＤＣＦ（Design rule for Camera File system）の規格に従って、記録媒体１２４に記録される。
【００１４】
不揮発性メモリ１１６は、電気的に消去・記録可能な不揮発性のメモリであり、制御部１１２で実行される後述の制御プログラム及び固定データ等が格納される。
【００１５】
作業用メモリ１１８は、撮像部１１４で撮像された画像データを一時的に保持するバッファメモリ、表示部１２２の画像表示用メモリ及び制御部１１２の作業領域等として使用される。
【００１６】
操作部１２０は、デジタルカメラ１１０に対する指示をユーザから受け付けるために用いられる。操作部１２０は例えば、ユーザがデジタルカメラ１１０の電源のオン／オフを指示する電源ボタン、撮像を指示するレリーズスイッチ、及び画像データの再生を指示する再生ボタンを含む。
【００１７】
レリーズスイッチには、いわゆる半押しでオンになるスイッチＳＷ１と、全押しでオンになるスイッチＳＷ２が組み込まれている。ＳＷ１がオンになると、制御部１１２は、ＡＦ（オートフォーカス）処理、ＡＥ（自動露出）処理、ＡＷＢ（オートホワイトバランス）処理及びＥＦ（フラッシュプリ発光）処理等の静止画撮像準備処理を有効化する。スイッチＳＷ２がオンになると、制御部１１２は、撮像部１１４による撮影画像データの取り込みと記録を実行する。
【００１８】
操作部１２０は、後述の接続部１２６を介して外部機器（図１で、通信端末１４０）との通信開始を指示する簡単接続ボタン１２１を含む。簡単接続ボタン１２１には予め、その操作により接続すべき相手端末と接続条件（接続パラメータ及び手順等）が関連付けられている。簡単接続ボタン１２１をユーザが操作することで、制御部１１２は、予め指定された端末への接続手順を開始する。簡単接続ボタン１２１を用いた通信開始方法は、後述する。操作部１２０はまた、表示部１２２の画面上に配置されるタッチパネルを含む。
【００１９】
表示部１２２は、静止画の撮像準備段階でのライブビュー画像、撮像した静止画像及び対話的な操作のための文字・メニュー等を表示できる。表示部１２２は必ずしもデジタルカメラ１１０に内蔵される必要はない。すなわち、表示部１２２は、デジタルカメラ１１０の背面等に配置される表示手段であっても、デジタルカメラ１１０に外部接続する表示手段であってもよく、デジタルカメラ１１０は表示を制御する表示制御機能を少なくとも具備すればよい。
【００２０】
記録媒体１２４は、撮像部１１４から出力された画像データを記録可能である。記録媒体１２４は、デジタルカメラ１１０に着脱可能でもよいし、デジタルカメラ１１０に内蔵されていてもよい。すなわち、デジタルカメラ１１０は少なくとも記録媒体１２４にアクセスする手段を有していればよい。
【００２１】
接続部１２６は、外部装置と接続するインターフェースである。デジタルカメラ１１０は、接続部１２６を介して外部装置（例えば、通信端末１４０）とデータをやりとりできる。接続部１２６は、ＩＥＥＥ８０２．１１の規格に従ったいわゆる無線ＬＡＮにより外部装置と通信するインターフェースを含む。制御部１１２は、接続部１２６を制御することで、外部装置（例えば、通信端末１４０）との無線通信を実現する。
【００２２】
近接無線通信部１２８は、無線通信のためのアンテナ、無線信号を処理する変復調回路、通信コントローラ１３２及び通信データを格納する不揮発性メモリ１３０で構成される。近接無線通信部１２８は、変調した無線信号をアンテナから出力し、アンテナで受信した無線信号を復調することで、ＩＳＯ／ＩＥＣ  １８０９２の規格（ＮＦＣ：Near Field Communication）に従う非接触近接通信を実現する。近接無線通信部１２８はデジタルカメラ１１０の側部に配置されるが、制御部１１２と電気的には接続されていない。従って制御部１１２は、近接無線通信部１２８を制御できず、不揮発性メモリ１３０にアクセスできない。なお、ＮＦＣ規格の通信デバイス間で通信を実現するには、これら通信デバイス同士は、直接接触する必要は無く、通信可能な一定距離以内に位置すればよい。本明細書では、通信可能な一定距離以内に位置することを「近接」と表現する。
【００２３】
簡単接続ボタン１２１は、デジタルカメラ１１０と、通信端末１４０を含む外部装置との接続を容易に行うためのインターフェースである。デジタルカメラ１１０で接続する外部装置を予め設定又は指定しておくことで、カメラ１１０は、簡単接続ボタン１２１を選択後すぐに、予め指定した外部装置と接続する。簡単接続ボタン１２１は、外部装置との接続を指示するために専用に設けられた操作部材である。簡単接続ボタン１２１による無線ＬＡＮ接続の方法については後述する。
【００２４】
通信端末１４０の構成と基本機能を説明する。通信端末１４０は、公衆無線通信会社が提供する基地局１７０を介して公衆通信網１７２に接続する。通信端末１４０はまた、無線ＬＡＮ等の近距離通信手段を介してデジタルカメラ１１０とも通信でき、近接無線通信によりデジタルカメラ１１０の近接無線通信部１２８とも通信できる。
【００２５】
通信端末１４０の制御部１４２は、入力された信号及び後述のプログラムに従って通信端末１４０の各部を制御する。制御部１４２は単一のハードウエアと当該ハードウエア上で動作する１又は複数のソフトウエアからなっても、複数のハードウエア及び当該ハードウエア上で動作するソフトウエアからなってもよい。
【００２６】
撮像部１４４は、光学レンズユニット、当該光学レンズユニットの絞り、ズーム及びフォーカスを制御するレンズ制御系、及び当該光学レンズユニットによる光学像を電気画像信号に変換する撮像素子からなる。撮像素子は、ＣＭＯＳイメージセンサ又はＣＣＤイメージセンサ等の何れであっても良い。
【００２７】
撮像部１４４は、制御部１４２の制御下で、光学レンズレンズで結像された被写体光学像を撮像素子により電気信号に変換し、ノイズ低減処理などを行った画像データを出力する。本実施例では、画像データは、ＤＣＦ（Design rule for Camera File system）の規格に従って、記録媒体１５４に記録される。
【００２８】
不揮発性メモリ１４６は、電気的に消去・記録可能な不揮発性のメモリであり、制御部１４２で実行される後述の制御プログラム及び固定データ等が格納される。
【００２９】
作業用メモリ１４８は、撮像部１４４で撮像された画像データを一時的に保持するバッファメモリ、表示部１５２の画像表示用メモリ及び制御部１４２の作業領域等として使用される。
【００３０】
操作部１５０は、通信端末１４０に対する指示をユーザから受け付けるために用いられる。操作部１５０は例えば、ユーザが通信端末１４０の電源のオン／オフを指示する電源ボタン及び画面遷移を制御部１４２に指示する操作ボタン等を含み、表示部１５２の画面上に配置されるタッチパネルを含む。
【００３１】
表示部１５２は、静止画の撮像準備段階でのライブビュー画像、撮像した静止画像及び対話的な操作のための文字・メニュー等を表示できる。表示部１５２は必ずしも通信端末１４０に内蔵される必要はなく、通信端末１４０は、表示内容を制御する表示制御機能を少なくとも有していればよい。
【００３２】
記録媒体１５４は、撮像部１４４から出力された画像データ、及び外部装置から受信したデータを記録可能である。記録媒体１５４は、通信端末１４０に着脱可能でもよいし、通信端末１４０に内蔵されていてもよい。すなわち、通信端末１４０は、少なくとも記録媒体１５４にアクセスする手段を有していればよい。
【００３３】
接続部１５６は、外部装置と接続するインターフェースである。通信端末１４０は、接続部１５６を介して外部装置（例えば、デジタルカメラ１１０）とデータをやりとりできる。接続部１５６は、ＩＥＥＥ８０２．１１の規格に従ったいわゆる無線ＬＡＮにより外部装置と通信するインターフェースを含む。制御部１４２は、接続部１５６を制御することで、外部装置（例えば、デジタルカメラ１１０）との無線通信を実現する。
【００３４】
近接無線通信部１５８は、無線通信のためのアンテナ、無線信号を処理する変復調回路及び通信コントローラで構成される、近接無線通信部１２８と通信可能なデバイスである。所定距離以内での近接時には、近接無線通信部１５８は、不揮発性メモリ１３０のデータを読み書きできる。近接無線通信部１５８は、変調した無線信号をアンテナから出力し、アンテナで受信した無線信号を復調することで、ＩＳＯ／ＩＥＣ  １８０９２の規格（ＮＦＣ：Near Field Communication）に従う非接触近接通信を実現する。近接無線通信部１５８は通信端末１４０の側部に配置され、制御部１４２と電気的に接続する。近接無線通信部１２８とは異なり、制御部１４２は、近接無線通信部１５８の動作を制御可能であり、通信内容にアクセスできる。
【００３５】
近接無線通信部１２８と近接無線通信部１５８とが通信する場合、必ずしも近接無線通信部１２８と近接無線通信部１５８を物理的に接触させる必要はない。すなわち、近接無線通信部１２８と近接無線通信部１５８は一定の距離だけ離れていても通信でき、近接無線通信可能な距離まで近づければよい。以下の説明では、この近接無線通信可能な範囲まで近づけることを「近接」と表現する。
【００３６】
また、近接無線通信部１２８と近接無線通信部１５８が互いに近接無線通信不可能な範囲にあれば、通信は開始されない。また、近接無線通信部１２８と近接無線通信部１５８が近接無線通信可能な範囲にあって通信が確立されている状態で、近接無線通信部１２８と近接無線通信部１５８が近接無線通信不可能な距離に離れてしまうと、通信が切断される。
【００３７】
近接無線通信部１２８が実現する非接触近接通信はＮＦＣに限られるものではなく、他の無線通信を採用してもよい。例えば、近接無線通信部１２８，１５８が実現する非接触近接通信として、ＩＳＯ／ＩＥＣ  １４４４３の規格に従った非接触近接通信を採用してもよい。
【００３８】
公衆無線通信部１６０は、公衆無線通信会社が提供する基地局１７０を介して公衆通信網１７２に接続し、公衆通信網１７２を介して他の通信端末と通信するインターフェースである。公衆無線通信部１６０は、無線通信のためのアンテナ、並びに、無線信号を処理する変復調回路及び通信コントローラから構成される。公衆無線通信部１６０は例えば、Ｗ−ＣＤＭＡ（ＵＭＴＳ）又はＬＴＥ（Ｌｏｎｇ  Ｔｅｒｍ  Ｅｖｏｌｕｔｉｏｎ）等の規格に従う公衆無線通信を実現する。
【００３９】
デジタルカメラ１１０は、所定の操作により任意の一般の外部通信装置と無線接続する通常接続モードと、予め登録した外部通信装置とより簡単な操作で無線接続する簡単接続モードとを有する。ユーザは、どちらの接続モードを利用するかを選択できる。
【００４０】
通信端末１４０に通常接続モードで接続する場合、ユーザは、デジタルカメラ１１０の操作部１２０を操作して表示部１２２に無線ＬＡＮに関するメニューを表示させ、そのメニューに対する手動操作でカメラ１１０を通信端末１４０に接続する。通信端末１４０を簡単接続モードの接続先としたい場合、予め、通信端末１４０とその接続条件を簡単接続ボタン１２１に関連付けておき、制御部１４２は、簡単接続ボタン１２１の操作に応じて、予め登録された接続先への接続を試行する。すなわち、簡単接続モードでは、ユーザがすべき操作は、予め接続先の端末と接続条件を登録することで、実際に接続したいときに簡単接続ボタン１２１を押下する操作のみである。簡単接続ボタンに複数の接続先を登録してもよい。また、それぞれ１つの接続先を登録した複数の簡単接続ボタンを設けても良い。
【００４１】
図２を参照して、本実施例の接続制御方法を説明する。図２は、簡単接続モードでデジタルカメラ１１０と通信端末１４０を無線接続するシーケンスであって、同（ａ）は１回目を、同（ｂ）は２回目以降をそれぞれ示す。
【００４２】
図２（ａ）を参照して、１回目の接続シーケンスを説明する。１回目は、接続相手と接続条件を近接無線通信部１２８の不揮発性メモリ１３０に登録する処理を含む。
【００４３】
ステップＳ２０１で、ユーザが、デジタルカメラ１１０と通信端末１４０を互いに近接させる。すると、ステップＳ２０２で、通信端末１４０は、近接無線通信部１５８を使って、デジタルカメラ１１０の近接無線通信部１２８に内蔵される不揮発性メモリ１３０のデータを読み取る。読み取られるデータは例えば、図３（ａ）に示すようなアプリ情報３００と、カメラ１１０を特定するＵＵＩＤ情報３０２からなる。アプリ情報３００は、デジタルカメラ１１０から無線ＬＡＮ通信によって画像データを転送する、通信端末１４０にインストールされるアプリケーションソフトウエア（以下、「アプリ」と略す。）を特定する識別情報である。
【００４４】
通信端末１４０は、近接無線通信部１５８によりアプリ情報３００を読み込むと、ステップＳ２０３で、当該アプリ情報３００で特定されるアプリを起動する。もちろん、当該アプリがインストールされていない場合、制御部１４２は、起動不能を表示部１５２に表示する。
【００４５】
ステップＳ２０４でユーザがデジタルカメラ１１０の簡単接続ボタン１２１を押下すると、デジタルカメラ１１０は、ステップＳ２０５で、無線接続部１２６を有効化し、無線ＬＡＮ又は無線ネットワークを生成する。すなわち、無線接続部１２６は無線ネットワーク生成手段として機能する。この時、カメラ１１０は、無線ＬＡＮの、ＳＳＩＤ（Service Set Identifier）とパスワード等の無線ＬＡＮの接続設定情報を新規に発行する。デジタルカメラ１１０は、表示部１２２に図４（ａ）に示すように、生成した無線ＬＡＮ接続設定情報を表示する。
【００４６】
ユーザは、Ｓ２０６で通信端末１４０の操作部１５０を操作し、デジタルカメラ１１０の表示部１２２に表示される無線ＬＡＮ接続設定でカメラ１１０の無線ＬＡＮに手動接続する。例えば、ユーザは、通信端末１４０の操作部１５０を操作して無線ＬＡＮ接続用アプリを起動する。そして、ユーザは、図４（ｂ）に示すような無線ＬＡＮ検索画面からデジタルカメラ１１０が生成した無線ＬＡＮを選択し、表示部１２２に表示されるパスワードを入力する。これにより、通信端末１４０は、Ｓ２０７で、デジタルカメラ１１０が生成した無線ＬＡＮに参加又は接続する。
【００４７】
Ｓ２０８で、通信端末１４０は、接続した無線ＬＡＮ上でＵＵＩＤ情報３０２により特定される装置（ここでは、デジタルカメラ１１０）を検索し、カメラ１１０から通信端末１４０に画像データを転送する通信プロトコルでカメラ１１０と接続する。画像転送の通信プロトコルで接続することにより送信先装置が特定されると、デジタルカメラ１１０にとっての画像送信先が特定される。
【００４８】
ステップＳ２０９で、デジタルカメラ１１０は、簡単接続ボタン１２１の操作に対する接続相手として通信端末１４０を不揮発性メモリ１１６に登録する。このときに登録する情報は、たとえば、ステップＳ２０５で生成した無線ＬＡＮネットワークのＳＳＩＤとパスワード、及び通信端末１４０を特定する識別情報等からなる。
【００４９】
ステップＳ２１０で、ユーザは、デジタルカメラ１１０と通信端末１４０をもう一度近接させる。これにより、Ｓ２１１で、通信端末１４０は、デジタルカメラ１１０の近接無線通信部１２８の不揮発性メモリ１３０のデータを読み取って、ステップＳ２０２で読み込んだデータと同じであるか否かを確認する。また、通信端末１４０は、簡単接続ボタン１２１の操作による接続相手としてデジタルカメラ１１０に登録済みの機器を示す情報を無線ＬＡＮを介してカメラ１１０から受信し、当該接続相手としてデジタルカメラ１１０に登録済みの機器を示す情報が通信端末１４０かどうかを確認する。
【００５０】
Ｓ２０２，Ｓ２１１で不揮発性メモリ１３０から読み取ったデータが同じでない場合、または、簡単接続ボタン１２１の操作による接続相手が通信端末１４０で無い場合、通信端末１４０は以後の処理を終了する。逆に、Ｓ２０２，Ｓ２１１で不揮発性メモリ１３０から読み取ったデータが同じで、且つ、簡単接続ボタン１２１の操作による接続相手が通信端末１４０である場合、通信端末１４０は、ステップＳ２１２を実行する。
【００５１】
Ｓ２１２で、通信端末１４０は、不揮発性メモリ１３０に無線ＬＡＮ接続情報及び通信端末１４０の識別情報を書き込む。図３（ｂ）は、Ｓ２１２で通信端末１４０が不揮発性メモリ１３０に書き込む情報の一例を示す。アプリ情報３１０はアプリ情報３００と同じ内容を収容し、ＵＵＩＤ情報３１２はＵＵＩＤ情報３０２と同じ内容を収容する。接続情報３１４は、通信端末１４０の識別子３１６並びに無線ＬＡＮのＳＳＩＤ３１８及びパスワード３２０で構成される。Ｓ２１２で通信端末１４０が不揮発性メモリ１３０に書き込む内容の無線ＬＡＮ接続情報は、ステップＳ２０９でデジタルカメラ１１０が簡単接続ボタン１２１に関連付けて登録した情報と同じである。
【００５２】
なお、Ｓ２１１〜Ｓ２１２の処理を実行するに当たって、予めアプリをタグに書き込むモードにしておくことが必要なようにしてもよい。なぜなら、単に近接しただけで書き換えられてしまうと、ユーザが意図していないのに書き換えてしまう可能性があるからである。また、無線ＬＡＮを介しての接続が確立した状態での近接をトリガして起動する処理は、必ずしも近接無線通信部１２８に内蔵される不揮発性メモリ１３０に書き込む処理に固定する必要はない。例えば、アプリ内メニューにより、近接時にどのような機能を発動させるかをユーザが予め設定しておくことができるようにしてもよい。あるいは、デフォルトの機能をいずれか設定したものにしておき、操作部材への操作またはソフトウエアボタンの選択が行われたまま近接されたことをトリガとしてＳ２１１〜Ｓ２１２の処理を実行するようにしてもよい。また、近接をトリガとして発動する他の機能としては、例えば、確立済みの無線ＬＡＮを介した画像の送信や、他のデジタルカメラへの近接による無線ＬＡＮ接続の切り替え等が考えられる。
【００５３】
図２（ｂ）を参照して、２回目以降の接続シーケンスを説明する。ここでは、簡単接続ボタン１２１を使ったデジタルカメラ１１０と通信端末１４０との接続動作を説明する。
【００５４】
ステップＳ２０１と同様に、ステップＳ２３１でユーザがデジタルカメラ１１０と通信端末１４０を近接させる。すると、ステップＳ２３２で、通信端末１４０はデジタルカメラ１１０の近接無線通信部１２８に内蔵される不揮発性メモリ１３０の記憶データを読み取る。ステップＳ２３２で読み取られるデータは、ステップＳ２０２で読み取られる内容とは異なり、ステップＳ２１２で通信端末１４０から書き込みされた図３（ｂ）に示すようなデータである。
【００５５】
ステップＳ２３３で、通信端末１４０は、不揮発性メモリ１３０から読み取ったデータの内のアプリ情報３１０で指定されるアプリを起動する。Ｓ２３３に続いて又はＳ２３３と同時並列に、通信端末１４０は、不揮発性メモリ１３０から読み取ったデータの内の無線接続情報３１４で指定される無線ＬＡＮの探索を開始し、見付かり次第、接続しようとする。
【００５６】
他方、Ｓ２３５で、ユーザは、デジタルカメラ１１０の簡単接続ボタン１２１を押下する。簡単接続ボタン１２１の押下操作に応じて、ステップＳ２３６で、デジタルカメラ１１０は、ステップＳ２０９で登録した情報に基づき接続部１２６の無線ＬＡＮを起動又は有効化する。起動される無線ＬＡＮの接続情報（ＳＳＩＤ及びパスワード）は、デジタルカメラ１１０の近接無線通信部１２８に内蔵される不揮発性メモリ１３０に記録される無線接続情報３１４と同じである。
【００５７】
すなわち、デジタルカメラ１１０と通信端末１４０とは、同一の無線ＬＡＮの接続情報を共有していることになる。この結果、デジタルカメラ１１０が無線ＬＡＮを起動すると、通信端末１４０は、無線ＬＡＮ検索で当該無線ＬＡＮを発見でき、ステップＳ２３７で、デジタルカメラ１１０が生成した当該無線ＬＡＮに参加できる。
【００５８】
ステップＳ２３８で、デジタルカメラ１１０と通信端末１４０は、デジタルカメラ１１０から通信端末１４０に画像データを送信する通信プロトコルの接続を確立する。
【００５９】
このように、２回目以降では、通信端末１４０の操作部１５０を一切操作することなく、デジタルカメラ１１０から通信端末１４０に画像データを送信する通信プロトコルの接続を確立できる。
【００６０】
図５は、通信端末１４０の動作フローチャートである。
【００６１】
ステップＳ５０１で、ユーザが、デジタルカメラ１１０と通信端末１４０を互いに近接させる。すると、ステップＳ５０２で、通信端末１４０の制御部１４２は、近接無線通信部１５８を使って、デジタルカメラ１１０の近接無線通信部１２８に内蔵される不揮発性メモリ１３０のデータを読み取る。
【００６２】
ステップＳ５０３で、制御部１４２は、不揮発性メモリ１３０から読み取ったアプリ情報３００で特定されるアプリを起動する。ステップＳ５０４で、制御部１４２は、ステップＳ５０２で読み取ったデータに通信端末１４０自身の識別子が記述されているかどうかを判断する。制御部１４２がステップＳ５０２で読み取ったデータに通信端末１４０自身の識別子が記述されていないと判断した場合、不揮発性メモリ１３０が、既に他の機器から書き込み済みであるか、あるいはどの他の機器からも書きこまれていない状態である。この場合、制御部１４２は、処理をステップＳ５０５に進める。
【００６３】
ステップＳ５０５で、ユーザは、操作部１５０を操作して無線ＬＡＮ接続を切り替えるためのアプリケーションを起動する。制御部１４２は、接続部１５６を通じて周辺の無線ＬＡＮを検索し、ステップＳ５０６で、図４（ｂ）に示すように表示部１５２に検出した無線ＬＡＮの一覧を表示する。ステップＳ５０７で、ユーザは操作部１５０を用いて表示部１５２に表示されている無線ＬＡＮの一覧からデジタルカメラ１１０が生成している無線ＬＡＮを選択し、制御部１４２が対応するパスワードを入力する。
【００６４】
ステップＳ５０８で、制御部１４２は、ユーザの選択する無線ＬＡＮ（デジタルカメラ１１０が生成した無線ＬＡＮ）への接続を接続部１５６に指示する。無線ＬＡＮの接続が確立されると、ステップＳ５０９で、制御部１４２は、接続部１５６を通じて画像データ転送の通信プロトコルをデジタルカメラ１１０との間で確立する。
【００６５】
ステップＳ５１０で、ユーザは、通信端末１４０とデジタルカメラ１１０を近接させる。すると、ステップＳ５１１で、通信端末１４０の制御部１４２は、近接無線通信部１５８を介してデジタルカメラ１１０の近接無線通信部１２８から不揮発性メモリ１３０に格納されているデータを読み取る。
【００６６】
ステップＳ５１２で、制御部１４２は、ステップＳ５１１で読み取ったデータがステップＳ５０２で読み取ったデータと同じか否かを判断し、簡単接続ボタン１２１による接続相手の情報を無線ＬＡＮを介して受信する。簡単接続ボタン１２１による接続相手の情報を受信するのではなく、当該接続相手が通信端末１４０かどうかを問い合わせて、その回答を得てもよい。すなわち、通信端末１４０の識別子をデジタルカメラ１１０に送信し、これを受信したデジタルカメラ１１０が、簡単接続ボタン１２１による接続相手の情報と一致するかどうかを確認する。そして、その確認結果に応じた応答に基づき、通信端末１４０がデジタルカメラ１１０の簡単接続ボタン１２１による接続相手として登録済みかどうかを判断する。ステップＳ５１１で読み取ったデータがステップＳ５０２で読み取ったデータと同じでない場合、又は、通信端末１４０が接続相手として登録されていない場合、制御部１４２は、図５に示すフローを終了する。なお、ステップＳ５１１で読み取ったデータがステップＳ５０２で読み取ったデータと同じでない場合は、例えば、ステップＳ５１０で通信端末１４０が近接した相手が、ステップＳ５０２で近接した相手とは違う場合が考えられる。また、通信端末１４０が接続相手として登録されていない場合は、例えば、まだどの機器も簡単接続ボタン１２１による接続相手として登録されていない場合や、他の機器が簡単接続ボタン１２１による接続相手として登録されている場合が考えられる。
【００６７】
ステップＳ５１１で読み取ったデータがステップＳ５０２で読み取ったデータと同じで、且つ、通信端末１４０が簡単接続ボタン１２１の接続相手として登録されている場合、制御部１４２は、ステップＳ５１３に進む。ステップＳ５１３で、制御部１４２は、近接無線通信部１５８を通じて、デジタルカメラ１１０の不揮発性メモリ１３０に、通信端末１４０の識別子とＳ５０８で接続した無線ＬＡＮの接続情報を書き込む。
【００６８】
ステップＳ５０４で、制御部１４２がステップＳ５０２で読み取ったデータに通信端末１４０を示す識別子が記述されていると判断した場合、制御部１４２は、ステップＳ５１４に進む。ステップＳ５１４で、制御部１４２は、ステップＳ５０２で取得したデータに接続情報（ＳＳＩＤ及びパスワード）に従い、接続部１５６によりデジタルカメラ１１０の無線ＬＡＮに無線接続する。そして、ステップＳ５１５で、制御部１４２は、ステップＳ５０９と同様に、接続部１５６によりデジタルカメラ１１０から画像データを受信する通信プロトコルの接続を確立する。
【００６９】
図６は、デジタルカメラ１１０の動作フローチャートである。
【００７０】
ステップＳ６０１で、ユーザが簡単接続ボタン１２１を押下すると、ステップＳ６０２で、制御部１１２は、不揮発性メモリ１１６を参照し、簡単接続ボタン１２１に接続相手として通信端末１４０が登録されているか否かを判断する。制御部１１２が簡単接続ボタン１２１に通信端末１４０が登録されていないと判断した場合、ステップＳ６０３に進む。ステップＳ６０３で、制御部１１２は、無線ＬＡＮのＳＳＩＤ及びパスワードを新規で生成する。ステップＳ６０４で、制御部１１２は、ステップＳ６０３で生成した情報に基づく無線ＬＡＮを接続部１２６に生成させる。
【００７１】
ステップＳ６０４で生成した無線ＬＡＮに通信端末１４０が接続すると、ステップＳ６０５で、制御部１１２は、接続部１２６を通じて通信端末１４０と画像転送の通信プロトコルでの接続を確立する。通信プロトコルの接続が完了すると、ステップＳ６０６で、制御部１１２は、簡単接続ボタン１２１の登録情報として通信端末１４０の識別子と、生成した無線ＬＡＮのＳＳＩＤ及びパスワードとを不揮発性メモリ１１６に記憶する。
【００７２】
ステップＳ６０２で、制御部１１２は、簡単接続ボタン１２１に通信端末１４０が登録されていると判断した場合、制御部１１２は、ステップＳ６０７に進む。ステップＳ６０７で、制御部１１２は、不揮発性メモリ１１６に登録されている無線ＬＡＮの接続情報（ＳＳＩＤ及びパスワード）を読み込む。ステップＳ６０８で、制御部１１２は、ステップＳ６０７で読み込んだ接続情報の無線ＬＡＮを接続部１２６に生成させる。
【００７３】
通信端末１４０がカメラ１１０の無線ＬＡＮに接続すると、ステップＳ６０９で、ステップＳ６０５と同様に、制御部１１２は、接続部１２６を通じて通信端末１４０と画像転送の通信プロトコルでの接続を確立する。
【００７４】
このように、デジタルカメラ１１０と通信端末１４０が無線ＬＡＮ上の通信プロトコルでの接続が完了すると、ユーザはカメラ１１０の所望の画像を通信端末１４０の記録媒体１５４に取り込むことができる。例えば、図３（ｃ）に示すように、通信端末１４０の表示部１５２にデジタルカメラ１１０の記録媒体１２４に記憶されている画像を表示する。ユーザは、表示部１５２に表示される画像から希望の画像を指定し、通信端末１４０への転送を通信端末１４０に指示する。通信端末１４０の制御部１４２は、この指示に応じて、選択された画像の通信端末１４０への転送をデジタルカメラ１１０に指示し、デジタルカメラ１１０は要求された画像を通信端末１４０に送信する。通信端末１４０はカメラ１１０から受信した画像の画像データを記録媒体１５４に格納する。
【００７５】
上述の実施形態では、デジタルカメラ１１０のタグへの情報書き込みの条件として、図５のステップＳ５１１で読み取ったデータがステップＳ５０２で読み取ったデータと同じであるか否かを利用した。しかしながら、デジタルカメラ１１０と通信端末１４０との無線ＬＡＮを介した通信は、必ずしも図２のＳ２０１の近接を経るとは限らない。上述したように、ユーザによるメニューの操作をトリガとして、近接無線通信部を介さずに無線ＬＡＮ接続を開始する場合には、Ｓ２０１〜Ｓ２０２の処理は不要である。そこで、この場合は、タグへの情報書き込みの条件として、無線ＬＡＮを介して接続中のデジタルカメラ１１０に対してＵＵＩＤ情報を要求・受信し、図５のステップＳ５１１でタグから読み取ったＵＵＩＤ情報３０２と比較した結果を用いる。これにより、接続中のデジタルカメラと、近接したデジタルカメラとが同一機器であることを確認する。
【００７６】
以上、本発明をその好適な実施例を詳述してきたが、本発明はこれら特定の実施例に限られるものではなく、この発明の要旨を逸脱しない範囲の様々な形態も本発明に含まれる。上述の実施例の一部を適宜組み合わせてもよい。
【００７７】
また、上述の実施例の機能を実現するソフトウエアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００７８】
プログラムを供給するための記録媒体としては、例えば、ハードディスク、磁気テープ等の磁気記録媒体、光／光磁気記録媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【図１】
2015211353.tif 000003
【図２】
2015211353.tif 000004
【図３】
2015211353.tif 000005
【図４】
2015211353.tif 000006
【図５】
2015211353.tif 000007
【図６】
2015211353.tif 000008